(57)【要約】【課題】撮像レンズにおいて、良好な光学性能を保持するとともに、小さなＦ値と小型化を図る。【解決手段】物体側から順に、物体側に凸面を向けた負の第１レンズＬ１と、物体側に凸面を向けた正メニスカスレンズである第２レンズＬ２と、絞りと、像側に凸面を向けた正の第３レンズＬ３と、第４レンズＬ４および第５レンズＬ５の接合からなり、全体として正の屈折力を有する接合レンズＬＣとを備える。また、第２レンズＬ２のｄ線に対するアッベ数をν２とし、第１レンズＬ１の物体側の面頂点から像面までの光軸上の距離をＬとし、全系の焦点距離をｆとし、全系のバックフォーカスをＢｆとしたとき、下記条件式（１）〜（３）を満足する。ν２＞３０  …  （１）２．５＜Ｌ／ｆ＜４．０  …  （２）０．５＜Ｂｆ／ｆ＜１．３  …  （３）【選択図】図１
2009047947.tif 000002
【特許請求の範囲】
【請求項１】
物体側から順に、物体側に凸面を向けた負の第１レンズと、物体側に凸面を向けた正メニスカスレンズである第２レンズと、絞りと、像側に凸面を向けた正の第３レンズと、第４レンズおよび第５レンズの接合からなり、全体として正の屈折力を有する接合レンズと、を備え、
前記第２レンズのｄ線に対するアッベ数をν２とし、前記第１レンズの物体側の面頂点から像面までの光軸上の距離をＬとし、全系の焦点距離をｆとし、全系のバックフォーカスをＢｆとしたとき、下記条件式（１）〜（３）を満足することを特徴とする撮像レンズ。
ν２＞３０  …  （１）
２．５＜Ｌ／ｆ＜４．０  …  （２）
０．５＜Ｂｆ／ｆ＜１．３  …  （３）
【請求項２】
前記第３レンズの焦点距離をｆ３とし、全系の焦点距離をｆとしたとき、下記条件式（４）を満足することを特徴とする請求項１記載の撮像レンズ。
１＜ｆ３／ｆ＜４  …  （４）
【請求項３】
前記第１レンズと前記第２レンズとの軸上の空気間隔をＤ２とし、全系の焦点距離をｆとしたとき、下記条件式（５）を満足することを特徴とする請求項１または２記載の撮像レンズ。
０．０１＜Ｄ２／ｆ＜０．７  …  （５）
【請求項４】
前記第１レンズの像側の面頂点から前記絞りまでの光軸上の距離をｄとし、前記第１レンズの焦点距離をｆ１としたとき、下記条件式（６）を満足することを特徴とする請求項１から３のいずれか１項に記載の撮像レンズ。
−１．５＜ｄ／ｆ１＜−０．１  …  （６）
【請求項５】
前記第４レンズのｄ線に対するアッベ数をν４とし、前記第５レンズのｄ線に対するアッベ数をν５としたとき、下記条件式（７）を満足することを特徴とする１から４のいずれか１項に記載の撮像レンズ。
ν４／ν５＞１．５  …  （７）
【請求項６】
前記第１レンズの中心厚が１ｍｍ以上であることを特徴とする請求項１から５のいずれか１項記載の撮像レンズ。
【請求項７】
請求項１から６のいずれか１項記載の撮像レンズと、
該撮像レンズにより形成される光学像を電気信号に変換する撮像素子と
を備えたことを特徴とする撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、携帯端末用カメラ、監視カメラ等に使用されるのに好適な撮像レンズ、および該撮像レンズを備えた撮像装置に関するものである。
【背景技術】
【０００２】
ＣＣＤやＣＭＯＳ等の撮像素子は近年非常に小型化及び高画素化が進んでいる。それとともに、これら撮像素子を備えた撮像機器本体も小型化が進み、それに搭載される撮像レンズにも小型化、軽量化が求められている。
【０００３】
一方、車載用カメラや監視カメラなどでは、寒冷地の外気から熱帯地方の夏の車内まで高い耐候性を持ちながら広い温度範囲で使用可能な、小型で高性能のレンズが求められている。また、車載用カメラとして用いる場合、車の外観上の点から露出するレンズ部が小さいことも求められている。
【０００４】
下記特許文献１、２には、小型の撮像レンズとして、物体側から順に、負の第１レンズと、正の第２レンズと、絞りと、正の第３レンズと、接合レンズとからなる内視鏡用レンズが記載されている。また、特許文献３には、物体側から順に、負の第１レンズと、像側に凸面を向けた正の第２レンズと、絞りと、正の第３レンズと、接合レンズとからなるスチルカメラ用のレンズが記載されている。
【特許文献１】特開２００４−３５４８８８号公報
【特許文献２】特開２００４−６１７６３号公報
【特許文献３】特許公報第３７２３６３７号
【発明の開示】
【発明が解決しようとする課題】
【０００５】
しかしながら、特許文献１、２に記載のものは、内視鏡用の撮像レンズであるため、Ｆ値が大きく暗い光学系となっており、監視カメラや車載用カメラで想定される動画の撮影には不適である。また、車の車内に配置され、前方を監視するようなカメラにおいては、夜間でも使用可能なようにＦ値の小さな明るいレンズが要望されている。特許文献３に記載のものは、光軸方向の光学系の全長が長く、近年の小型化の要望に十分応えられるものとなっていない。
【０００６】
本発明は、上記事情に鑑み、良好な光学性能を保持しながら、Ｆ値が小さく、小型化の図られた撮像レンズ、および該撮像レンズを備えた撮像装置を提供することを目的とするものである。
【課題を解決するための手段】
【０００７】
本発明の撮像レンズは、物体側から順に、物体側に凸面を向けた負の第１レンズと、物体側に凸面を向けた正メニスカスレンズである第２レンズと、絞りと、像側に凸面を向けた正の第３レンズと、第４レンズおよび第５レンズの接合からなり、全体として正の屈折力を有する接合レンズと、を備え、前記第２レンズのｄ線に対するアッベ数をν２とし、前記第１レンズの物体側の面頂点から像面までの光軸上の距離をＬとし、全系の焦点距離をｆとし、全系のバックフォーカスをＢｆとしたとき、下記条件式（１）〜（３）を満足することを特徴とするものである。  
ν２＞３０  …  （１）
２．５＜Ｌ／ｆ＜４．０  …  （２）
０．５＜Ｂｆ／ｆ＜１．３  …  （３）
【０００８】
なお、上記のＢｆ、およびＬのバックフォーカス分については、空気換算した距離を用いるものとする。
【０００９】
上記構成の本発明の撮像レンズは、最少５枚の簡素な構成のレンズ系において、パワー配置や各レンズの構成、および絞りの位置を好適に選択し、条件式（１）〜（３）を満足することで、良好な光学性能を保持しつつ、小さなＦ値と小型化に有利な性能を得ることが可能になる。特に、上記レンズ系において、第２レンズを物体側に凸面を向けた正メニスカスレンズとすることで、球面収差を良好に補正することが可能となり、Ｆ値が小さな明るい光学系の実現が容易になる。また、条件式（１）を満足することで、軸上の色収差が良好に補正可能となり、条件式（２）、（３）を満足することで、小型化の実現が容易になる。
【００１０】
ここで、上記本発明の撮像レンズにおいては、前記第３レンズの焦点距離をｆ３とし、全系の焦点距離をｆとしたとき、下記条件式（４）を満足することが好ましい。  
１＜ｆ３／ｆ＜４  …  （４）
【００１１】
また、上記本発明の撮像レンズにおいては、前記第１レンズと前記第２レンズとの軸上の空気間隔をＤ２とし、全系の焦点距離をｆとしたとき、下記条件式（５）を満足することが好ましい。  
０．０１＜Ｄ２／ｆ＜０．７  …  （５）
【００１２】
また、上記本発明の撮像レンズにおいては、前記第１レンズの像側の面頂点から前記絞りまでの光軸上の距離をｄとし、前記第１レンズの焦点距離をｆ１としたとき、下記条件式（６）を満足することが好ましい。  
−１．５＜ｄ／ｆ１＜−０．１  …  （６）
【００１３】
また、上記本発明の撮像レンズにおいては、前記第４レンズのｄ線に対するアッベ数をν４とし、前記第５レンズのｄ線に対するアッベ数をν５としたとき、下記条件式（７）を満足することが好ましい。  
ν４／ν５＞１．５  …  （７）
【００１４】
また、上記本発明の撮像レンズにおいては、前記第１レンズの中心厚が１ｍｍ以上であることが好ましい。
【００１５】
なお、上記条件式（１）〜（７）の各値は、ｄ線（波長５８７．６ｎｍ）を基準波長としたものであり、本明細書においては特に断りのない限り、ｄ線を基準波長とする。
【００１６】
本発明の撮像装置は、上記記載の撮像レンズと、該撮像レンズにより形成される光学像を電気信号に変換する撮像素子とを備えたことを特徴とするものである。
【発明の効果】
【００１７】
本発明によれば、少なくとも５枚からなるレンズ系において、各レンズの構成を好適に設定し、条件式（１）〜（３）を満足するように構成しているため、良好な光学性能を確保しながら、Ｆ値が小さく、小型化の図られた撮像レンズ、および該撮像レンズを備えた撮像装置を提供することができる。
【発明を実施するための最良の形態】
【００１８】
以下、本発明の実施形態について図面を参照して詳細に説明する。まず、図１を参照して、本発明の撮像レンズの実施形態について説明し、その後で撮像装置の実施形態について説明する。
【００１９】
図１に本発明の一実施形態にかかる撮像レンズ１のレンズ断面図を示す。なお、図１に示す構成例は、後述の実施例１のレンズ構成に対応している。図１には、軸上光線２および最大画角で入射する軸外光線３も合わせて示してある。
【００２０】
撮像レンズ１は、光軸Ｚに沿って物体側から順に、物体側に凸面を向けた負の第１レンズＬ１と、物体側に凸面を向けた正メニスカスレンズである第２レンズＬ２と、開口絞りＳｔと、像側に凸面を向けた正の第３レンズＬ３と、第４レンズＬ４および第５レンズＬ５の接合からなり、全体として正の屈折力を有する接合レンズＬＣとが配列されてなる。なお、図１における開口絞りＳｔは形状や大きさを表すものではなく光軸Ｚ上の位置を示すものである。
【００２１】
また、図１では、撮像レンズ１が撮像装置に適用される場合を考慮して、撮像レンズ１の結像位置Ｐｉｍを含む像面に配置された撮像素子４も図示している。撮像素子４は、撮像レンズ１により形成される光学像を電気信号に変換するものであり、例えばＣＣＤイメージセンサ等からなる。
【００２２】
なお、撮像レンズ１を撮像装置に適用する際には、レンズ系と撮像素子との間に、保護用のカバーガラスを配置したり、あるいは、レンズを装着するカメラ側の構成に応じて、ローパスフィルタや赤外線カットフィルタ等を配置したりしてもよい。例えば、本撮像レンズが、車載カメラに使用され、夜間の視覚補助用の暗視カメラとして使用される場合には、レンズ系と撮像素子との間に紫外光から青色光をカットするようなフィルタを挿入してもよい。または、カバーガラスに所定のコートを施すことにより、赤外線カット、紫外線カット等のフィルタとして兼用するようにしてもよい。
【００２３】
図１に示すように、撮像レンズ１では、第１レンズＬ１を物体側に凸面を向けた負のレンズとすることにより、第１レンズＬ１の物体側の凸面に大きな入射角の光線をとらえることができ、光学系を広角化できる。さらに、図１に示す例のように、第１レンズＬ１を負のメニスカスレンズとすることにより、ペッツバール和を小さくすることができ、広い画面全域にわたって像面湾曲の補正が可能となる。
【００２４】
第２レンズＬ２の物体側の面を凸面とすることにより、負レンズの第１レンズＬ１を出射した発散光に対して効果的に収束させるように作用でき、全系の光軸方向の長さを短くすることができる。また、第２レンズＬ２を物体側に凸面を向けた正メニスカスレンズとすることにより、諸収差の発生を抑制することができ、特に球面収差を良好に補正することができ、Ｆ値の小さな明るい光学系の実現が容易になる。
【００２５】
第３レンズＬ３を像側に凸面を向けた正のレンズとし、さらに、図１に示す例のように第３レンズＬ３をメニスカスレンズとして、開口絞りＳｔを挟んで、ともにメニスカスレンズの第２レンズＬ２と第３レンズＬ３とを凹面が対向するように配置することにより、諸収差を良好に補正することができる。
【００２６】
接合レンズＬＣは、図１に示す例のように、正のレンズと負のレンズからなることが好ましく、この場合には、色収差を良好に補正することができる。
【００２７】
ここで、本実施形態の撮像レンズ１は、第２レンズＬ２のｄ線に対するアッベ数をν２とし、第１レンズＬ１の物体側の面頂点から像面までの光軸上の距離をＬとし、全系の焦点距離をｆとし、全系のバックフォーカスをＢｆとしたとき、下記条件式（１）〜（３）を満足するように構成されている。
【００２８】
ν２＞３０  …  （１）
２．５＜Ｌ／ｆ＜４．０  …  （２）
０．５＜Ｂｆ／ｆ＜１．３  …  （３）
【００２９】
条件式（１）は、開口絞りＳｔ近傍の第２レンズＬ２のアッベ数を規定するものである。条件式（１）の下限を超えると、軸上の色収差を補正することが困難となる。
【００３０】
条件式（２）の上限を超えると、全長が長くなり小型化の目的を達成することができなくなる。条件式（２）の下限を超えると、全長が短くなりすぎて各レンズの肉厚が薄くなり、加工性が悪化してコストアップの要因となるか、全系の焦点距離が長すぎて画角が小さくなりすぎてしまう。
【００３１】
条件式（３）の上限を超えると、バックフォーカスが長くなりすぎて光学系が大型化してしまうか、あるいは各レンズの肉厚が薄くなり、加工性が悪化してコストアップの要因となってしまう。条件式（３）の下限を超えると、像面に入射する軸外光線の角度が大きくなり、撮像装置に適用したとき、シェーディングが大きくなってしまう。
【００３２】
なお、本発明の実施形態にかかる撮像レンズにおいては、第３レンズＬ３の焦点距離をｆ３とし、全系の焦点距離をｆとしたとき、下記条件式（４）を満足することが好ましい。  
１＜ｆ３／ｆ＜４  …  （４）
【００３３】
条件式（４）の上限を超えると、コマ収差の補正が困難となる。条件式（４）の下限を超えると、球面収差の補正が困難となる。
【００３４】
また、本発明の実施形態にかかる撮像レンズにおいては、第１レンズＬ１と第２レンズＬ２との軸上の空気間隔をＤ２とし、全系の焦点距離をｆとしたとき、下記条件式（５）を満足することが好ましい。  
０．０１＜Ｄ２／ｆ＜０．７  …  （５）
【００３５】
条件式（５）の上限を超えると、像面湾曲の補正が困難となるとともに、第１レンズＬ１の径が大きくなってしまい、小型化も難しくなる。条件式（５）の下限を超えると、第１レンズＬ１と第２レンズＬ２が近接しすぎるため、軸外光線の外周光線でのケラレが大きくなり、周辺光量比が著しく低下してしまう。
【００３６】
また、本発明の実施形態にかかる撮像レンズにおいては、第１レンズＬ１の像側の面頂点から開口絞りＳｔまでの光軸上の距離をｄとし、第１レンズＬ１の焦点距離をｆ１としたとき、下記条件式（６）を満足することが好ましい。  
−１．５＜ｄ／ｆ１＜−０．１  …  （６）
【００３７】
条件式（６）の上限を超えると、光学系の光軸方向の長さが長くなってしまうか、あるいは第１レンズＬ１のパワーが弱くなるため、レンズの径方向が大きくなってしまう。条件式（６）の下限を超えると、球面収差を補正することが困難となる。
【００３８】
また、本発明の実施形態にかかる撮像レンズにおいては、第４レンズＬ４のｄ線に対するアッベ数をν４とし、第５レンズＬ５のｄ線に対するアッベ数をν５としたとき、下記条件式（７）を満足することが好ましい。  
ν４／ν５＞１．５  …  （７）
【００３９】
条件式（７）の下限を超えると、色収差、特に倍率の色収差の補正が困難となる。
【００４０】
また、本発明の実施形態にかかる撮像レンズにおいては、第１レンズＬ１の中心厚が１ｍｍ以上であることが好ましい。
【００４１】
例えば、撮像レンズを車載カメラや監視カメラに適用する場合、レンズが割れにくいことが要求されるが、第１レンズＬ１の中心厚を１ｍｍ以上とすることで、レンズの強度を保つことができる。
【００４２】
また、本発明の実施形態にかかる撮像レンズにおいては、第１レンズＬ１の焦点距離をｆ１とし、全系の焦点距離をｆとしたとき、下記条件式（８）を満足することが好ましい。  
−３．２＜ｆ１／ｆ＜−０．８  …  （８）
【００４３】
条件式（８）の上限を超えると、第１レンズＬ１のパワーが強くなりすぎて偏心に対する感度が高くなり、組立てが困難となってしまう。条件式（８）の下限を超えると、広角化を達成することが困難となる。
【００４４】
また、本発明の実施形態にかかる撮像レンズにおいては、第２レンズＬ２の焦点距離をｆ２とし、全系の焦点距離をｆとしたとき、下記条件式（９）を満足することが好ましい。  
１．０＜ｆ２／ｆ＜６．０  …  （９）
条件式（９）の上限を超えると、周辺でコマ収差が大きくなり、良好な画像を得ることが難しくなる。条件式（９）の下限を超えると、第２レンズＬ２の物体側の面の曲率が強くなりすぎて加工が困難となる。
【００４５】
また、本発明の実施形態にかかる撮像レンズにおいては、第４レンズＬ４と第５レンズＬ５からなる接合レンズＬＣの合成焦点距離をｆ４＋５とし、全系の焦点距離をｆとしたとき、下記条件式（１０）を満足することが好ましい。  
１．２＜ｆ４＋５／ｆ＜３．０  …  （１０）
条件式（１０）の上限を超えると、接合レンズＬＣのパワーが弱くなり、色収差を良好に補正することが困難となる。条件式（１０）の下限を超えると、接合面の曲率がきつくなり、加工が困難となってしまう。
【００４６】
なお、本撮像レンズが例えば車載用カメラ等の厳しい環境において使用される場合には、最も物体側に配置されるレンズは、風雨による表面劣化、直射日光による温度変化に強く、さらには油脂・洗剤等の化学薬品に強い材質、すなわち耐水性、耐候性、耐酸性、耐薬品性等が高い材質を用いることが好ましい。そのため、全てのレンズの材質がガラスであることが好ましい。
【００４７】
また、最も物体側に配置されるレンズの材質としては堅く、割れにくい材質を用いることが好ましく、具体的にはガラスもしくは透明なセラミックスを用いることが好ましい。セラミックスは通常のガラスに比べ強度が高く、耐熱性が高いという性質を有する。
【００４８】
また、本撮像レンズが、例えば車載用カメラに適用される場合には、寒冷地の外気から熱帯地方の夏の車内まで広い温度範囲で使用可能なことが要求される。広い温度範囲で使用される場合には、レンズの材質としては線膨張係数の小さいものを用いることが好ましい。
【００４９】
また、安価にレンズを製作するためには、全てのレンズが球面レンズであることが好ましい。あるいは、各収差を良好に補正するためには、非球面レンズを用いてもよい。そして、非球面を精度良く低コストで形成するために、レンズの材質としてプラスチックを用いてもよい。
【００５０】
なお、各レンズ間の有効径外を通過する光束は、迷光となって像面に達し、ゴーストとなるおそれがあるため、必要に応じて、この迷光を遮光する遮光手段を設けることが好ましい。この遮光手段としては、例えばレンズの像側の有効径外の部分に不透明な塗料を施したり、不透明な板材を設けたりしてもよい。または、迷光となる光束の光路に不透明な板材を設けて遮光手段としてもよい。一例として、図１では、第１レンズＬ１の像側の面に遮光手段１１を設けた例を示している。
【実施例】
【００５１】
次に、本発明にかかる撮像レンズの具体的な数値実施例について説明する。
【００５２】
＜実施例１＞
実施例１にかかる撮像レンズのレンズデータを表１に示す。なお、表１には、レンズデータの下方に各種データも合わせて示す。表１のレンズデータにおいて、面番号は最も物体側の構成要素の面を１番目として像側に向かうに従い順次増加するｉ番目（ｉ＝１、２、３、…）の面番号を示す。なお、表１のレンズデータには開口絞りＳｔも含めて付している。
【００５３】
表１のＲｉはｉ番目（ｉ＝１、２、３、…）の面の曲率半径を示し、Ｄｉはｉ（ｉ＝１、２、３、…）番目の面とｉ＋１番目の面との光軸Ｚ上の面間隔を示す。また、Ｎｄｊは最も物体側の光学要素を１番目として像側に向かうに従い順次増加するｊ番目（ｊ＝１、２、３、…）の光学要素のｄ線に対する屈折率を示し、νｄｊはｊ番目の光学要素のｄ線に対するアッベ数を示す。表１において、曲率半径および面間隔の単位はｍｍであり、曲率半径は物体側に凸の場合を正、像側に凸の場合を負としている。
【００５４】
各種データのＦｎｏ．はＦ値、ωは半画角、Ｌは全系の第１レンズＬ１の物体側の面頂点から像面までの光軸Ｚ上の距離、ｆは全系の焦点距離、Ｂｆはバックフォーカスである。各種データにおいて、ωの単位は度であり、Ｆｎｏ．とω以外の単位は全てｍｍである。なお、表１中の記号の意味は後述の実施例についても同様である。
【００５５】
【表１】
2009047947.tif 000003
【００５６】
実施例１のレンズ構成図を図２に示す。図２における符号Ｒｉ、Ｄｉ（（ｉ＝１、２、３、…）は表１のＲｉ、Ｄｉと対応している。図２の符号は、開口絞りＳｔも含めて付している。なお、図２における開口絞りＳｔは形状や大きさを表すものではなく光軸Ｚ上の位置を示すものである。
【００５７】
＜実施例２＞
実施例２にかかる撮像レンズのレンズデータおよび各種データを表２に、レンズ構成図を図３に示す。図３において、符号Ｒｉ、Ｄｉは表２のＲｉ、Ｄｉと対応している。
【００５８】
【表２】
2009047947.tif 000004
【００５９】
＜実施例３＞
実施例３にかかる撮像レンズのレンズデータおよび各種データを表３に、レンズ構成図を図４に示す。図４において、符号Ｒｉ、Ｄｉは表３のＲｉ、Ｄｉと対応している。
【００６０】
【表３】
2009047947.tif 000005
【００６１】
＜実施例４＞
実施例４にかかる撮像レンズのレンズデータおよび各種データを表４に、レンズ構成図を図５に示す。図５において、符号Ｒｉ、Ｄｉは表４のＲｉ、Ｄｉと対応している。
【００６２】
【表４】
2009047947.tif 000006
【００６３】
＜実施例５＞
実施例５にかかる撮像レンズのレンズデータおよび各種データを表５に、レンズ構成図を図６に示す。図６において、符号Ｒｉ、Ｄｉは表５のＲｉ、Ｄｉと対応している。
【００６４】
【表５】
2009047947.tif 000007
【００６５】
＜実施例６＞
実施例６にかかる撮像レンズのレンズデータおよび各種データを表６に、レンズ構成図を図７に示す。図７において、符号Ｒｉ、Ｄｉは表６のＲｉ、Ｄｉと対応している。
【００６６】
【表６】
2009047947.tif 000008
【００６７】
＜実施例７＞
実施例７にかかる撮像レンズのレンズデータおよび各種データを表７に、レンズ構成図を図８に示す。図８において、符号Ｒｉ、Ｄｉは表７のＲｉ、Ｄｉと対応している。
【００６８】
【表７】
2009047947.tif 000009
【００６９】
＜実施例８＞
実施例８にかかる撮像レンズのレンズデータおよび各種データを表８に、レンズ構成図を図９に示す。図９において、符号Ｒｉ、Ｄｉは表８のＲｉ、Ｄｉと対応している。
【００７０】
【表８】
2009047947.tif 000010
【００７１】
実施例１〜８の撮像レンズにおける条件式（１）〜（５）に対応する値を表９に、条件式（６）〜（１０）に対応する値を表１０に示す。表９、表１０からわかるように、実施例１〜８は、条件式（１）〜（１０）を全て満たしている。
【００７２】
【表９】
2009047947.tif 000011
【００７３】
【表１０】
2009047947.tif 000012
【００７４】
上記実施例１〜８にかかる撮像レンズの球面収差、非点収差、ディストーション（歪曲収差）、倍率色収差の収差図をそれぞれ図１０〜図１７に示す。各収差図には、ｄ線を基準波長とした収差を示すが、球面収差図および倍率色収差図には、Ｆ線（波長４８６．１ｎｍ）、Ｃ線（波長６５６．３ｎｍ）についての収差も示す。ディストーションの図は、全系の焦点距離ｆ、半画角θ（変数扱い、０≦θ≦ω）を用いて、理想像高をｆ×ｔａｎθとし、それからのずれ量を示す。球面収差図のＦｎｏ．はＦ値であり、その他の収差図のωは半画角を示す。図１０〜図１７からわかるように、上記実施例１〜実施例８は、小さなＦ値を確保するとともに、各収差が良好に補正されている。
【００７５】
上述した実施例１〜８の撮像レンズは、良好な光学性能を有し、小型化を実現できるものであるため、自動車の前方、側方、後方などの映像を撮影するための車載用カメラなどに好適に使用可能である。また、実施例１〜８の撮像レンズは、小さなＦ値を有しているため、動画の撮影や夜間での使用に好適である。
【００７６】
図１８に使用例として、自動車１００に本実施形態の撮像レンズおよび撮像装置を搭載した様子を示す。図１２において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、撮像装置であり、本発明の実施形態による撮像レンズ１と、撮像レンズ１により形成される光学像を電気信号に変換する撮像素子４とを備えている。
【００７７】
上述したように、本発明の実施形態にかかる撮像レンズ１は、広角でありながら小さなＦ値と小型で良好な光学性能を有するため、車外カメラ１０１、１０２および車内カメラ１０３も小型に構成することができ、その撮像素子４の撮像面には広い画角にわたって良好な像を結像することができる。また、撮像レンズ１は小型でレンズ枚数が少ないことから、安価に製作可能であり、したがって、車外カメラ１０１、１０２および車内カメラ１０３も安価に製作可能となる。
【００７８】
以上、実施の形態および実施例を挙げて本発明を説明したが、本発明は上記実施の形態および実施例に限定されず、種々の変形が可能である。例えば、各レンズ成分の曲率半径、面間隔および屈折率の値は、上記各数値実施例で示した値に限定されず、他の値をとり得るものである。
【００７９】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【図面の簡単な説明】
【００８０】
【図１】本発明の一実施形態にかかる撮像レンズの光路図
【図２】本発明の実施例１にかかる撮像レンズのレンズ構成を示す断面図
【図３】本発明の実施例２にかかる撮像レンズのレンズ構成を示す断面図
【図４】本発明の実施例３にかかる撮像レンズのレンズ構成を示す断面図
【図５】本発明の実施例４にかかる撮像レンズのレンズ構成を示す断面図
【図６】本発明の実施例５にかかる撮像レンズのレンズ構成を示す断面図
【図７】本発明の実施例６にかかる撮像レンズのレンズ構成を示す断面図
【図８】本発明の実施例７にかかる撮像レンズのレンズ構成を示す断面図
【図９】本発明の実施例８にかかる撮像レンズのレンズ構成を示す断面図
【図１０】本発明の実施例１にかかる撮像レンズの各収差図
【図１１】本発明の実施例２にかかる撮像レンズの各収差図
【図１２】本発明の実施例３にかかる撮像レンズの各収差図
【図１３】本発明の実施例４にかかる撮像レンズの各収差図
【図１４】本発明の実施例５にかかる撮像レンズの各収差図
【図１５】本発明の実施例６にかかる撮像レンズの各収差図
【図１６】本発明の実施例７にかかる撮像レンズの各収差図
【図１７】本発明の実施例８にかかる撮像レンズの各収差図
【図１８】本発明の実施形態にかかる車載用の撮像装置の配置を説明するための図
【符号の説明】
【００８１】
１    撮像レンズ
２    軸上光線
３    軸外光線
４    撮像素子
１１    遮光手段
１００    自動車
１０１、１０２    車外カメラ
１０３    車内カメラ
Ｄｉ    ｉ番目の面とｉ＋１番目の面との光軸上の面間隔
Ｐｉｍ    結像位置
Ｌ１    第１レンズ
Ｌ２    第２レンズ
Ｌ３    第３レンズ
Ｌ４    第４レンズ
Ｌ５    第５レンズ
ＬＣ    接合レンズ
Ｒｉ    ｉ番目の面の曲率半径
Ｓｔ    開口絞り
Ｚ    光軸
【図１】
2009047947.tif 000013
【図２】
2009047947.tif 000014
【図３】
2009047947.tif 000015
【図４】
2009047947.tif 000016
【図５】
2009047947.tif 000017
【図６】
2009047947.tif 000018
【図７】
2009047947.tif 000019
【図８】
2009047947.tif 000020
【図９】
2009047947.tif 000021
【図１０】
2009047947.tif 000022
【図１１】
2009047947.tif 000023
【図１２】
2009047947.tif 000024
【図１３】
2009047947.tif 000025
【図１４】
2009047947.tif 000026
【図１５】
2009047947.tif 000027
【図１６】
2009047947.tif 000028
【図１７】
2009047947.tif 000029
【図１８】
2009047947.tif 000030